(57)【特許請求の範囲】
【請求項１】
複数のフロートスイッチを備えた水中ポンプに取り付けられるフロートスイッチ支持部材であって、
前記水中ポンプの本体の直立方向に略並行して設置される略長方管形状の縦方支持部材と、
前記縦方支持部材を前記水中ポンプ本体の側周面の任意の位置に固定可能な固定部材と、
前記縦方支持部材背面の長手方向の下方側に当該部材の一端または該一端近傍が取り付け部材を介して固定され、他端が水平方向に延びる第１側方支持部材と、
前記第１側方支持部材の他端または該他端近傍の位置に第１フロートスイッチのケーブルを該第１フロートスイッチから所定距離を保って固定する第１ケーブル固定部材と、
前記第１側方支持部材の一端または該一端近傍の位置で前記第１フロートスイッチのケーブルを掛止または固定する第１ケーブル掛止固定部材と、
前記縦方支持部材背面の長手方向の上方側に当該部材の一端または該一端近傍が取り付け部材を介して固定され、他端が水平方向に延びる第２側方支持部材と、
前記第２側方支持部材の他端または該他端近傍の位置に第２フロートスイッチのケーブルを該第２フロートスイッチから所定距離を保って固定する第２ケーブル固定部材と、
前記第２側方支持部材の一端または該一端近傍の位置で前記第２フロートスイッチのケーブルを掛止または固定する第２ケーブル掛止固定部材と、
を有することを特徴とするフロートスイッチ支持部材。
【請求項２】
当該部材の外周面が前記縦方支持部材の内周面と部分的に接して、該縦方支持部材の長手方向に摺動可能な縦方第１摺動部材と、
前記縦方第１摺動部材を前記縦方支持部材の長手方向の上方側端部から所定距離だけ突出した位置に固定する縦方第１摺動固定部材と、
前記縦方第１摺動部材の長手方向の上方側端部背面に当該部材の一端または該一端近傍が取り付け部材を介して固定され、他端が水平方向に延びる第３側方支持部材と、
前記第３側方支持部材の他端または該他端近傍の位置に第３フロートスイッチのケーブルを該第３フロートスイッチから所定距離を保って固定する第３ケーブル固定部材と、
前記第３側方支持部材の一端または該一端近傍の位置で前記第３フロートスイッチのケーブルを掛止または固定する第３ケーブル掛止固定部材と、
を有することを特徴とする請求項１に記載のフロートスイッチ支持部材。
【請求項３】
当該部材の外周面が前記縦方支持部材の内周面と部分的に接して、該縦方支持部材の長手方向に摺動可能な縦方第１摺動部材と、
前記縦方第１摺動部材を前記縦方支持部材の長手方向の上方側端部から所定距離だけ突出した位置に固定する縦方第１摺動固定部材と、を有し、
前記第２側方支持部材は、前記縦方第１摺動部材の長手方向の上方側端部背面に固定されることを特徴とする請求項１に記載のフロートスイッチ支持部材。
【請求項４】
当該部材の外周面が略長方管形状の縦方第１摺動部材の内周面と部分的に接して、該縦方第１摺動部材の長手方向に摺動可能な縦方第２摺動部材と、
前記縦方第２摺動部材を前記縦方第１摺動部材の長手方向の上方側端部から所定距離だけ突出した位置に固定する縦方第２摺動固定部材と、
前記縦方第２摺動部材の長手方向の上方側端部背面に当該部材の一端または該一端近傍が取り付け部材を介して固定され、他端が水平方向に延びる第３側方支持部材と、
前記第３側方支持部材の他端または該他端近傍の位置に第３フロートスイッチのケーブルを該第３フロートスイッチから所定距離を保って固定する第３ケーブル固定部材と、
前記第３側方支持部材の一端または該一端近傍の位置で前記第３フロートスイッチのケーブルを掛止または固定する第３ケーブル掛止固定部材と、
を有することを特徴とする請求項３に記載のフロートスイッチ支持部材。
【請求項５】
当該部材の外周面が略長方管形状を持つ前記第１側方支持部材の内周面と部分的に接して、該第１側方支持部材の長手方向に摺動可能な側方第１摺動部材と、
前記側方第１摺動部材を前記第１側方支持部材の長手方向の他端部から所定距離だけ突出した位置に固定する側方第１摺動固定部材と、
当該部材の外周面が略長方管形状を持つ前記第２側方支持部材の内周面と部分的に接して、該第２側方支持部材の長手方向に摺動可能な側方第２摺動部材と、
前記側方第２摺動部材を前記第２側方支持部材の長手方向の他端部から所定距離だけ突出した位置に固定する側方第２摺動固定部材と、を有し、
前記第１ケーブル固定部材は、前記側方第１摺動部材の他端または該他端近傍の位置で前記第１フロートスイッチのケーブルを固定し、
前記第２ケーブル固定部材は、前記側方第２摺動部材の他端または該他端近傍の位置で前記第２フロートスイッチのケーブルを固定することを特徴とする請求項１乃至請求項４の何れか１項に記載のフロートスイッチ支持部材。
【請求項６】
当該部材の外周面が略長方管形状を持つ前記第３側方支持部材の内周面と部分的に接して、該第３側方支持部材の長手方向に摺動可能な側方第３摺動部材と、
前記側方第３摺動部材を前記第３側方支持部材の長手方向の他端部から所定距離だけ突出した位置に固定する側方第３摺動固定部材と、を有し、
前記第３ケーブル固定部材は、前記側方第３摺動部材の他端または該他端近傍の位置で前記第３フロートスイッチのケーブルを固定することを特徴とする請求項２または請求項４に記載のフロートスイッチ支持部材。
【請求項７】
前記第２側方支持部材の他端が延びる方向は、前記第１側方支持部材または前記第３側方支持部材の他端が延びる方向とは逆であることを特徴とする請求項２、請求項４または請求項６の何れか１項に記載のフロートスイッチ支持部材。
【請求項８】
前記第２側方支持部材の前記第２ケーブル固定部材から前記第２ケーブル掛止固定部材までの距離は、前記第１側方支持部材の前記第１ケーブル固定部材から前記第１ケーブル掛止固定部材までの距離、または、前記第３側方支持部材の前記第３ケーブル固定部材から前記第３ケーブル掛止固定部材までの距離とは異なることを特徴とする請求項２、請求項４、請求項６または請求項７の何れか１項に記載のフロートスイッチ支持部材。
【請求項９】
前記第１側方支持部材の他端が延びる方向、前記第２側方支持部材の他端が延びる方向または前記第３側方支持部材の他端が延びる方向が、前記縦方支持部材背面となす角度は、互いに異なることを特徴とする請求項２、請求項４、請求項６、請求項７または請求項８の何れか１項に記載のフロートスイッチ支持部材。
【請求項１０】
前記第１フロートスイッチのケーブルの余長部分、前記第２フロートスイッチのケーブルの余長部分または前記第３フロートスイッチのケーブルの余長部分を、前記水中ポンプ本体の側周面に巻き付けられる弾性を持つバンド部材で固定したことを特徴とする請求項２、請求項４、請求項６、請求項７、請求項８または請求項９の何れか１項に記載のフロートスイッチ支持部材。
【請求項１１】
記縦方支持部材は、背面と対向する面に開口部を有し、前記第１フロートスイッチのケーブルの余長部分、前記第２フロートスイッチのケーブルの余長部分または前記第３フロートスイッチのケーブルの余長部分の一部分が、前記縦方支持部材の開口部を介して略長方管形状の中空空間に差し込まれ、固定されていることを特徴とする請求項２、請求項４、請求項６、請求項７、請求項８または請求項９の何れか１項に記載のフロートスイッチ支持部材。
【請求項１２】
請求項１乃至請求項１１の何れか１項に記載のフロートスイッチ支持部材を備えることを特徴とする水中ポンプ装置。
【発明の詳細な説明】
【技術分野】
【０００１】
この発明は、フロートスイッチ支持部材およびそのフロートスイッチ支持部材が用いられる水中ポンプ装置に関し、特に、複数のフロートスイッチ間の距離並びに複数のフロートスイッチとケーブルの余長部分との距離をそれぞれ一定に保って、他の障害物等によるフロートスイッチの傾動を排除して確実に液位の誤検知を防止し得るフロートスイッチ支持部材および水中ポンプ装置に関する。
【背景技術】
【０００２】
従来、排水等に用いられる水中ポンプにおいては、液位の変動に応じて起動、停止をそれぞれ検知する複数のフロートスイッチを取り付けて、水中ポンプの運転制御を自動的に行う技術が知られている。ここで、水中ポンプは、運転制御部が収納されたヘッドの下方にモータ部およびポンプ部が設置される構造を持ち、フロートスイッチで検知した液位検知信号はケーブルを介して運転制御部に送られる。また、複数のフロートスイッチは、通常、水中ポンプの外枠を形成する部材に固定された支持部材の異なる高さの位置に取り付けられている。
【０００３】
また、フロートスイッチは、通常、ケース内に、当該フロートスイッチに浮力を与えるフロート部と、当該フロートスイッチの傾動に応じてオン／オフするスイッチ部と、を備えた構造であり、比較的大きな容積を持つ部品である。したがって、液位の変動のみに応じてフロートスイッチを傾動させ、他の障害物等による傾動を除外して誤検知を無くすためには、フロートスイッチの取り付け構造に工夫が必要となる。
【０００４】
例えば特許文献１には、フロートスイッチのケーブルの自由撓曲部の長さ調整を容易に行って、液位の制御幅を任意に設定・変更可能なケーブル支持構造が開示されている。また、特許文献２には、ケーブルを挟持する挟持部と、外側にケーブル余剰部を収束して定着させるための掛止部を対設した又状連接部と、を備えたケーブル定着構造が開示され、ケーブル余剰部がフロートスイッチに絡み付くことを防ぐ技術が提案されている。
【０００５】
さらに、特許文献３には、液位の変動に応じて水中ポンプの起動および停止を制御するフロートスイッチのケーブルを支持するケーブル支持装置と、これを有する水中ポンプ装置が開示されている。このケーブル支持装置は、ケーブルを折り畳んだ状態で収容可能な収容空間が内部に設けられたロッドと、フロートスイッチに接続されているケーブルを出し入れするためにロッドに形成された孔とを備えることにより、ケーブルが周囲に干渉することを防止するものである。
【先行技術文献】
【特許文献】
【０００６】
【特許文献１】実開平５−５７３９２号公報
【特許文献２】実開平５−６４４７９号公報
【特許文献３】特開２０１５−１１６０４８号公報
【発明の概要】
【発明が解決しようとする課題】
【０００７】
しかしながら、上記特許文献１では、フロートスイッチのケーブルの余長部分がフロートスイッチに絡み付くことを防ぐ対策が施されておらず、ケーブル余長部分の絡み付きによるフロートスイッチの傾動で液位が誤検知され、確実な水中ポンプの自動運転制御が行えないという課題がある。なお、これにより波及的に発生する問題として、誤動作時の現地対応に人的・時間的コストを要する点や、誤動作で水中ポンプが空運転することによる電力の浪費などが挙げられる。
【０００８】
また、上記特許文献２は、又状連接部の掛止部でケーブル余剰部を収束して定着させる構造を持つが、挟持部と又状連接部とが連接した構造であるためにフロートスイッチとケーブル余長の収束部分とが近い距離にあることから、例えば深い液槽にも設置可能な水中ポンプの場合には、その分、ケーブルの余長部分が長くなり、ケーブル余長の収束部分がフロートスイッチを傾動させる障害物となる可能性が高くなり、確実に液位の誤検知を防ぐことができない。
【０００９】
また、上記特許文献３は、ロッド内の収容空間にケーブルの余長部分が収納されるので、確実に液位の誤検知を防止できるが、フロートスイッチのケーブルには比較的に径の太いものが使用されケーブルにダメージを与えることなく折り畳んで収容するためには相応の広い収容空間が必要となり、液槽内の水中ポンプ装置の全体的な容積も大きくなり、水中ポンプ装置設置時の制約となる恐れがある。また、ロッド内の収容空間をより狭くして収納効率を上げようとすれば、ケーブルの折れ曲がり部分にダメージを与えてケーブルの運用寿命を短くしてしまう恐れがある。さらに、フロートスイッチの設置高さを調整する度に、別の孔にケーブルを通し直すと共にケーブルを畳み直す必要もあり、高さ位置の調整に手間がかかるという問題もある。
【００１０】
さらに、特許文献２および３では、上方から見たときの複数のフロートスイッチの設置位置がほぼ同一であることから、側方から見たときの複数のフロートスイッチ間の距離が短い場合には、互いに他方のフロートスイッチを傾動させる障害物となる可能性があり、液位の誤検知の原因となってしまうという問題もある。
【００１１】
そこでこの発明は、複数のフロートスイッチ間の距離並びに複数のフロートスイッチとケーブルの余長部分との距離をそれぞれ一定に保って、他の障害物等によるフロートスイッチの傾動を排除して確実に液位の誤検知を防止し得るフロートスイッチ支持部材および水中ポンプ装置を提供することを目的とする。
【課題を解決するための手段】
【００１２】
上記課題を解決するために、請求項１の発明は、複数のフロートスイッチを備えた水中ポンプに取り付けられるフロートスイッチ支持部材であって、前記水中ポンプの本体の直立方向に略並行して設置される略長方管形状の縦方支持部材と、前記縦方支持部材を前記水中ポンプ本体の側周面の任意の位置に固定可能な固定部材と、前記縦方支持部材背面の長手方向の下方側に当該部材の一端または該一端近傍が取り付け部材を介して固定され、他端が水平方向に延びる第１側方支持部材と、前記第１側方支持部材の他端または該他端近傍の位置に第１フロートスイッチのケーブルを該第１フロートスイッチから所定距離を保って固定する第１ケーブル固定部材と、前記第１側方支持部材の一端または該一端近傍の位置で前記第１フロートスイッチのケーブルを掛止または固定する第１ケーブル掛止固定部材と、前記縦方支持部材背面の長手方向の上方側に当該部材の一端または該一端近傍が取り付け部材を介して固定され、他端が水平方向に延びる第２側方支持部材と、前記第２側方支持部材の他端または該他端近傍の位置に第２フロートスイッチのケーブルを該第２フロートスイッチから所定距離を保って固定する第２ケーブル固定部材と、前記第２側方支持部材の一端または該一端近傍の位置で前記第２フロートスイッチのケーブルを掛止または固定する第２ケーブル掛止固定部材と、を備えることを特徴とする。
【００１３】
請求項２の発明は、請求項１に記載のフロートスイッチ支持部材において、当該部材の外周面が前記縦方支持部材の内周面と部分的に接して、該縦方支持部材の長手方向に摺動可能な縦方第１摺動部材と、前記縦方第１摺動部材を前記縦方支持部材の長手方向の上方側端部から所定距離だけ突出した位置に固定する縦方第１摺動固定部材と、前記縦方第１摺動部材の長手方向の上方側端部背面に当該部材の一端または該一端近傍が取り付け部材を介して固定され、他端が水平方向に延びる第３側方支持部材と、前記第３側方支持部材の他端または該他端近傍の位置に第３フロートスイッチのケーブルを該第３フロートスイッチから所定距離を保って固定する第３ケーブル固定部材と、前記第３側方支持部材の一端または該一端近傍の位置で前記第３フロートスイッチのケーブルを掛止または固定する第３ケーブル掛止固定部材と、を備えることを特徴とする。
【００１４】
請求項３の発明は、請求項１に記載のフロートスイッチ支持部材において、当該部材の外周面が前記縦方支持部材の内周面と部分的に接して、該縦方支持部材の長手方向に摺動可能な縦方第１摺動部材と、前記縦方第１摺動部材を前記縦方支持部材の長手方向の上方側端部から所定距離だけ突出した位置に固定する縦方第１摺動固定部材と、を備え、前記第２側方支持部材は、前記縦方第１摺動部材の長手方向の上方側端部背面に固定されることを特徴とする。
【００１５】
請求項４の発明は、請求項３に記載のフロートスイッチ支持部材において、当該部材の外周面が略長方管形状の縦方第１摺動部材の内周面と部分的に接して、該縦方第１摺動部材の長手方向に摺動可能な縦方第２摺動部材と、前記縦方第２摺動部材を前記縦方第１摺動部材の長手方向の上方側端部から所定距離だけ突出した位置に固定する縦方第２摺動固定部材と、前記縦方第２摺動部材の長手方向の上方側端部背面に当該部材の一端または該一端近傍が取り付け部材を介して固定され、他端が水平方向に延びる第３側方支持部材と、前記第３側方支持部材の他端または該他端近傍の位置に第３フロートスイッチのケーブルを該第３フロートスイッチから所定距離を保って固定する第３ケーブル固定部材と、前記第３側方支持部材の一端または該一端近傍の位置で前記第３フロートスイッチのケーブルを掛止または固定する第３ケーブル掛止固定部材と、を備えることを特徴とする。
【００１６】
請求項５の発明は、請求項１乃至請求項４の何れか１項に記載のフロートスイッチ支持部材において、当該部材の外周面が略長方管形状を持つ前記第１側方支持部材の内周面と部分的に接して、該第１側方支持部材の長手方向に摺動可能な側方第１摺動部材と、前記側方第１摺動部材を前記第１側方支持部材の長手方向の他端部から所定距離だけ突出した位置に固定する側方第１摺動固定部材と、当該部材の外周面が略長方管形状を持つ前記第２側方支持部材の内周面と部分的に接して、該第２側方支持部材の長手方向に摺動可能な側方第２摺動部材と、前記側方第２摺動部材を前記第２側方支持部材の長手方向の他端部から所定距離だけ突出した位置に固定する側方第２摺動固定部材と、を有し、前記第１ケーブル固定部材は、前記側方第１摺動部材の他端または該他端近傍の位置で前記第１フロートスイッチのケーブルを固定し、前記第２ケーブル固定部材は、前記側方第２摺動部材の他端または該他端近傍の位置で前記第２フロートスイッチのケーブルを固定することを特徴とする。
【００１７】
請求項６の発明は、請求項２または請求項４に記載のフロートスイッチ支持部材において、当該部材の外周面が略長方管形状を持つ前記第３側方支持部材の内周面と部分的に接して、該第３側方支持部材の長手方向に摺動可能な側方第３摺動部材と、前記側方第３摺動部材を前記第３側方支持部材の長手方向の他端部から所定距離だけ突出した位置に固定する側方第３摺動固定部材と、を備え、前記第３ケーブル固定部材は、前記側方第３摺動部材の他端または該他端近傍の位置で前記第３フロートスイッチのケーブルを固定することを特徴とする請求項２または請求項４に記載のフロートスイッチ支持部材。
【００１８】
請求項７の発明は、請求項２、請求項４または請求項６の何れか１項に記載のフロートスイッチ支持部材において、前記第２側方支持部材の他端が延びる方向は、前記第１側方支持部材または前記第３側方支持部材の他端が延びる方向とは逆であることを特徴とする。
【００１９】
請求項８の発明は、請求項２、請求項４、請求項６または請求項７の何れか１項に記載のフロートスイッチ支持部材において、前記第２側方支持部材の前記第２ケーブル固定部材から前記第２ケーブル掛止固定部材までの距離は、前記第１側方支持部材の前記第１ケーブル固定部材から前記第１ケーブル掛止固定部材までの距離、または、前記第３側方支持部材の前記第３ケーブル固定部材から前記第３ケーブル掛止固定部材までの距離とは異なることを特徴とする。
【００２０】
請求項９の発明は、請求項２、請求項４、請求項６、請求項７または請求項８の何れか１項に記載のフロートスイッチ支持部材において、前記第１側方支持部材の他端が延びる方向、前記第２側方支持部材の他端が延びる方向または前記第３側方支持部材の他端が延びる方向が、前記縦方支持部材背面となす角度は、互いに異なることを特徴とする。
【００２１】
請求項１０の発明は、請求項２、請求項４、請求項６、請求項７、請求項８または請求項９の何れか１項に記載のフロートスイッチ支持部材において、前記第１フロートスイッチのケーブルの余長部分、前記第２フロートスイッチのケーブルの余長部分または前記第３フロートスイッチのケーブルの余長部分を、前記水中ポンプ本体の側周面に巻き付けられる弾性を持つバンド部材で固定したことを特徴とする。
【００２２】
請求項１１の発明は、請求項２、請求項４、請求項６、請求項７、請求項８または請求項９の何れか１項に記載のフロートスイッチ支持部材において、前記縦方支持部材は、背面と対向する面に開口部を有し、前記第１フロートスイッチのケーブルの余長部分、前記第２フロートスイッチのケーブルの余長部分または前記第３フロートスイッチのケーブルの余長部分の一部分が、前記縦方支持部材の開口部を介して略長方管形状の中空空間に差し込まれ、固定されていることを特徴とする。
【００２３】
請求項１２の発明は、請求項１乃至請求項１１の何れか１項に記載のフロートスイッチ支持部材を備えることを特徴とする。
【発明の効果】
【００２４】
請求項１の発明によれば、第１フロートスイッチのケーブルを第１側方支持部材の他端（または該他端近傍）の位置で固定し、一端（または該一端近傍）の位置で掛止または固定するので、第１フロートスイッチとそのケーブルの余長部分とが概ね第１側方支持部材の一端から他端までの一定距離だけ離すことができるので、第１フロートスイッチ自身のケーブルの余長部分が第１フロートスイッチ自身に絡み付く可能性は殆ど無く、液位の誤検知無く水中ポンプの自動運転制御を行うことができる。また、第２フロートスイッチのケーブルを第２側方支持部材の他端（または該他端近傍）の位置で固定し、一端（または該一端近傍）の位置で掛止または固定するので、第２フロートスイッチとそのケーブルの余長部分とが概ね第２側方支持部材の一端から他端までの一定距離だけ離すことができるので、第２フロートスイッチ自身のケーブルの余長部分が第２フロートスイッチ自身に絡み付く可能性は殆ど無く、液位の誤検知無く水中ポンプの自動運転制御を行うことができる。また、第１側方支持部材および第２側方支持部材が同一の水平方向に延びるものであれば、側方支持部材の延びる方向とは逆の方向の側にケーブルの余長部分が集められる形となり、しかも、ケーブルの余長部分が集められる場所は、各フロートスイッチの傾動空間からそれぞれ一定距離だけ離れて位置することになるため、フロートスイッチにケーブルの余長部分が絡み付く可能性は殆ど無く、液位の誤検知無く水中ポンプの自動運転制御を行うことができる。また、固定部材により縦方支持部材を水中ポンプ本体の側周面の任意の位置に固定可能な構造としたので、水中ポンプ本体とフロートスイッチとの（上方から見た）相対的位置関係を任意に設定することができ、従来、設置できなかった液槽内の位置や方向に対しても設置可能となるので、水中ポンプ本体とフロートスイッチの相対的位置関係の任意設定により、様々な状況に対してより柔軟に対処可能なフロートスイッチ支持部材を実現することができる。
【００２５】
請求項２の発明によれば、第３フロートスイッチのケーブルを第３側方支持部材の他端（または該他端近傍）の位置で固定し、一端（または該一端近傍）の位置で掛止または固定するので、第３フロートスイッチとそのケーブルの余長部分とが概ね第３側方支持部材の一端から他端までの一定距離だけ離すことができるので、第３フロートスイッチ自身のケーブルの余長部分が第３フロートスイッチ自身に絡み付く可能性は殆ど無く、液位の誤検知無く水中ポンプの自動運転制御を行うことができる。また、第１側方支持部材、第２側方支持部材および第３側方支持部材が同一の水平方向に延びるものであれば、側方支持部材の延びる方向とは逆の方向の側にケーブルの余長部分が集められる形となり、しかも、ケーブルの余長部分が集められる場所は、各フロートスイッチの傾動空間からそれぞれ一定距離だけ離れて位置することになるため、フロートスイッチにケーブルの余長部分が絡み付く可能性は殆ど無く、液位の誤検知無く水中ポンプの自動運転制御を行うことができる。また、縦方第１摺動部材に連結した第３側方支持部材の他端または該他端近傍の位置に第３フロートスイッチのケーブルを固定するので、第３フロートスイッチによる検知液位の設定を容易且つ正確に行うことができる。
【００２６】
請求項３の発明によれば、縦方第１摺動部材に連結した第２側方支持部材の他端または該他端近傍の位置に第２フロートスイッチのケーブルが固定されるので、第２フロートスイッチによる検知液位の設定を容易且つ正確に行うことができる。
【００２７】
請求項４の発明によれば、縦方第２摺動部材を縦方第１摺動部材に連結し、該縦方第２摺動部材に連結した第３側方支持部材の他端または該他端近傍の位置に第３フロートスイッチのケーブルを固定するので、第３フロートスイッチによる検知液位の設定を容易且つ正確に行うことができる。また、第３フロートスイッチのケーブルを第３側方支持部材の他端（または該他端近傍）の位置で固定し、一端（または該一端近傍）の位置で掛止または固定するので、第３フロートスイッチとそのケーブルの余長部分とが概ね第３側方支持部材の一端から他端までの一定距離だけ離すことができるので、第３フロートスイッチ自身のケーブルの余長部分が第３フロートスイッチ自身に絡み付く可能性は殆ど無く、液位の誤検知無く水中ポンプの自動運転制御を行うことができる。また、第１側方支持部材、第２側方支持部材および第３側方支持部材が同一の水平方向に延びるものであれば、側方支持部材の延びる方向とは逆の方向の側にケーブルの余長部分が集められる形となり、しかも、ケーブルの余長部分が集められる場所は、各フロートスイッチの傾動空間からそれぞれ一定距離だけ離れて位置することになるため、フロートスイッチにケーブルの余長部分が絡み付く可能性は殆ど無く、液位の誤検知無く水中ポンプの自動運転制御を行うことができる。
【００２８】
請求項５の発明によれば、側方第１摺動部材の他端（または他端近傍）の位置に第１フロートスイッチのケーブルが固定され、第１側方支持部材の一端（または他端近傍）の位置に該ケーブルが掛止され、また、側方第２摺動部材の他端（または他端近傍）の位置に第２フロートスイッチのケーブルが固定され、第２側方支持部材の一端（または他端近傍）の位置に該ケーブルが掛止される構造であるため、例えば第１側方支持部材および第２側方支持部材が同一の水平方向に延びる構成の場合には、側方支持部材の延びる方向とは逆の方向の側にケーブルの余長部分が集められる形となり、しかも、ケーブルの余長部分が集められる場所は、各フロートスイッチの傾動空間からそれぞれ一定距離だけ離れて位置することになるため、フロートスイッチにケーブルの余長部分が絡み付く可能性は殆ど無く、液位の誤検知無く水中ポンプの自動運転制御を行うことができる。また、第１フロートスイッチのケーブルおよび第２フロートスイッチのケーブルがそれぞれ水平方向に長さ調整可能な側方第１摺動部材および側方第２摺動部材に固定されているため、フロートスイッチ支持部材（ポンプ装置）を上方から見たときの第１フロートスイッチおよび第２フロートスイッチの相対的な位置関係の調整を容易且つ正確に行うことができる。フロートスイッチの設置高さの違いは垂直方向面上でのフロートスイッチの傾動中心のずれに相当するのに対し、水平方向での固定位置の違いは水平方向面上でのフロートスイッチの傾動中心のずれに相当する。したがって、側方第１摺動部材または側方第２摺動部材の長さ調整により各フロートスイッチの傾動空間が立体的にずれることとなり、側方から見たときのフロートスイッチ間の距離が短い場合でも、互いに他方のフロートスイッチを傾動させる障害物となる（液位誤検知の原因となる）可能性が低くなる。換言すれば、液位誤検知の原因となるために設定できなかった液位設定も、フロートスイッチの相対的な位置関係の調整によっては可能となり得るため、フロートスイッチの相対的位置関係の任意設定により、様々な状況に対してより柔軟に対処可能なフロートスイッチ支持部材を実現することができる。
【００２９】
請求項６の発明によれば、側方第３摺動部材の他端（または他端近傍）の位置に第３フロートスイッチのケーブルが固定され、第３側方支持部材の一端（または他端近傍）の位置に該ケーブルが掛止される構造であるため、例えば第１側方支持部材、第２側方支持部材および第３側方支持部材が同一の水平方向に延びる構成の場合には、側方支持部材の延びる方向とは逆の方向の側にケーブルの余長部分が集められる形となり、しかも、ケーブルの余長部分が集められる場所は、各フロートスイッチの傾動空間からそれぞれ一定距離だけ離れて位置することになるため、フロートスイッチにケーブルの余長部分が絡み付く可能性は殆ど無く、液位の誤検知無く水中ポンプの自動運転制御を行うことができる。また、第３フロートスイッチのケーブルが水平方向に長さ調整可能な側方第３摺動部材に固定されているため、フロートスイッチ支持部材を上方から見たときの第１フロートスイッチまたは第２フロートスイッチとの相対的な位置関係の調整を容易且つ正確に行うことができる。第１フロートスイッチまたは第２フロートスイッチとの相対的位置関係の任意設定により、様々な状況に対してより柔軟に対処可能なフロートスイッチ支持部材を実現することができる。
【００３０】
請求項７の発明によれば、第２側方支持部材の他端が延びる方向を逆にすることにより、フロートスイッチの傾動空間についての立体的なずれをより大きくすることができ、様々な状況に対してより一層柔軟に対処可能なフロートスイッチ支持部材を実現することができる。
【００３１】
請求項８の発明によれば、側方支持部材のケーブル固定部材からケーブル掛止固定部材までの距離が互いに異なるようにすることにより、フロートスイッチの傾動空間について、立体的なずれを持たせることができ、様々な状況に対してより柔軟に対処可能なフロートスイッチ支持部材を実現することができる。
【００３２】
請求項９の発明によれば、側方支持部材が縦方支持部材背面となす角度を互いに異なるようにしたので、フロートスイッチの傾動空間について、立体的なずれを持たせることができ、様々な状況に対してより柔軟に対処可能なフロートスイッチ支持部材を実現することができる。
【００３３】
請求項１０の発明によれば、ケーブルの余長部分を、水中ポンプ本体の側周面に巻き付けられる弾性を持つバンド部材で固定したので、ケーブルの余長部分が絡み付く可能性を完全に排除して、確実な水中ポンプの自動運転制御を可能とすることができる。
【００３４】
請求項１１の発明によれば、ケーブルの余長部分の一部分を、縦方支持部材の開口部を介して略長方管形状の中空空間に差し込んで固定したので、ケーブルの余長部分が絡み付く可能性を完全に排除して、確実な水中ポンプの自動運転制御を可能とすることができる。
【００３５】
請求項１２の発明によれば、請求項１乃至請求項１１の何れか１項に記載のフロートスイッチ支持部材を備えて水中ポンプ装置を構成することにより、水中ポンプ装置の構成において上述の効果を奏することができる。すなわち、液位の誤検知無く水中ポンプの自動運転制御が可能な水中ポンプ装置を実現できる。また、水中ポンプ本体とフロートスイッチの相対的位置関係の任意設定により、様々な状況に対してより柔軟に対処可能な水中ポンプ装置を実現できる。また、水中ポンプ本体とフロートスイッチの相対的位置関係の任意設定、或いは、フロートスイッチ間の相対的位置関係の任意設定により、様々な状況に対してより柔軟に対処可能な水中ポンプ装置を実現することができる。
【図面の簡単な説明】
【００３６】
【図１】この発明の実施の形態１に係るフロートスイッチ支持部材および水中ポンプ装置の側面から見た外観構成を示す説明図である。
【図２】実施の形態１の水中ポンプ装置の上方から見た外観構成を示す説明図である。
【図３】実施の形態１のフロートスイッチ支持部材における構成部材の説明図であり、図３（ａ）は縦方支持部材および縦方第１摺動固定部材を、図３（ｂ）は縦方第１摺動部材の固定を、図３（ｃ）は第１ケーブル固定部材によるケーブルの固定を、それぞれ説明する図である。
【図４】実施の形態１のフロートスイッチ支持部材の変形を例示する説明図であり、図４（ａ）は変形例１の３を、図４（ｂ）は変形例１の４をそれぞれ示す。
【図５】この発明の実施の形態２に係るフロートスイッチ支持部材の構成図である。
【図６】実施の形態２のフロートスイッチ支持部材における構成部材の説明図であり、図６（ａ）は縦方第１摺動部材の固定を、図６（ｂ）は縦方第２摺動部材の固定を、図６（ｃ）は側方第１摺動部材の固定を、それぞれ説明する図である。
【発明を実施するための形態】
【００３７】
以下、この発明を図示の実施の形態に基づいて説明する。
【００３８】
〔実施の形態１〕
図１および図２は、この発明の実施の形態１に係るフロートスイッチ支持部材１０１並びに該フロートスイッチ支持部材１０１を備えた水中ポンプ装置５０の外観構成を示す説明図であり、図１は側面から見た説明図を、図２は上方から見た説明図をそれぞれ示す。
【００３９】
図１において、この実施の形態１の水中ポンプ装置５０は、ポンプ部６１、モータ部５１およびカバー部を備えた水中ポンプ本体と、複数のフロートスイッチ１１，２１，３１と、ケーブル１０，２０，３０と、フロートスイッチ支持部材１０１と、を備えた構成である。
【００４０】
水中ポンプ本体は、その下部に外枠がポンプケーシング６２で覆われたポンプ部６１を備え、そのポンプ部６１の上方に、モータケーシング５２で覆われてポンプ部６１を駆動するモータ部５１を備え、そのモータ部５１の上方に、取手部５３付きのカバー部で覆われた運転制御部５７を備えている。図中、６３は水中ポンプ装置５０の脚部である。また、６５は吸入口の概略位置を示し、６６は吐出口の概略位置を示す。さらに、６４は排出管であり、図１では、汚水、汚物、雑排水などを排水する、いわゆる排水水中ポンプの構成を例示している。なお、モータ部５１およびポンプ部６１の構成・構造については一般的な排水水中ポンプと同等であり、具体的な説明を省略する。
【００４１】
また、複数のフロートスイッチの内、第１フロートスイッチ１１は停止液位（Ｌｅ）を、第２フロートスイッチ２１は起動液位（Ｌｓ）を、第３フロートスイッチ３１は警戒液位（Ｌａ）を、それぞれ検知する。これらのフロートスイッチ１１，２１，３１で検知した液位検知信号は、それぞれケーブル１０，２０，３０を介して運転制御部５７に送られる。すなわち、図２に示すように、ケーブル１０，２０，３０は、カバー部の天井面５４に開けられた開口部５５に達しており、さらにカバー部内の運転制御部５７に接続される構成である。なお、図２において、取手部５３を挟んで開口部５５と対向する位置の開口部５６には電源ケーブル４０が配されており、該電源ケーブル４０を介して運転制御部５７およびモータ部５１に電源供給される構成である。
【００４２】
なお、後述するように、第１ケーブル固定部材１４でケーブル１０が、第２ケーブル固定部材２４でケーブル２０が、第３ケーブル固定部材３４でケーブル３０が、それぞれ固定されており、第１フロートスイッチ１１、第２フロートスイッチ２１および第３フロートスイッチ３１は、それぞれの固定点を中心として、液位に応じて傾動することとなる。例えば上向きの所定動作角度でフロートスイッチのスイッチ部がオンし、下向きの所定動作角度でフロートスイッチのスイッチ部がオフすることとすれば、運転制御部５７は、第２フロートスイッチ２１からのオン信号で（起動液位Ｌｓに達した旨を認識して）ポンプ部６１の運転を開始し、第１フロートスイッチ１１からのオフ信号で（停止液位Ｌｅに達した旨を認識して）ポンプ部６１の運転をする。また、ポンプ部６１が運転中であるにも拘らず、運転制御部５７が第３フロートスイッチ３１からのオン信号を受信した際には、液槽内で異常増水となっている旨を認識して、ポンプ部６１の運転を継続すると共に、例えば警報音を発するようにする。
【００４３】
次に、フロートスイッチ支持部材１０１の構成について説明する。図１に示すように、フロートスイッチ支持部材１０１は、縦方支持部材１、縦方第１摺動部材２、縦方第１摺動固定部材３、固定部材５、第１側方支持部材１２、取り付け部材１３、第１ケーブル固定部材１４，１５、第２側方支持部材２２、取り付け部材２３、第２ケーブル固定部材２４，２５、第３側方支持部材３２、取り付け部材３３および第３ケーブル固定部材３４，３５を備えた構成である。
【００４４】
なお、縦方支持部材１、縦方第１摺動部材２、第１側方支持部材１２、第２側方支持部材２２および第３側方支持部材３２は、フロートスイッチ支持部材１０１の骨格をなすものであるから、十分な強度を備えた軽量の材料で形成されるのが望ましい。例えば、ステンレス、硬化樹脂、カーボングラファイト、カーボンファイバー、グラスファイバー、各種の繊維強化プラスチック等からなる板状部材、或いは、これら各種材料部材を合成した板状部材を加工して具現される。また、第１側方支持部材１２、第２側方支持部材２２および第３側方支持部材３２は、互いに長さが異なる点に留意すべきである。図１の例示では、「第１側方支持部材１２の長さ＜第２側方支持部材２２の長さ＜第３側方支持部材３２の長さ」としている。
【００４５】
また、取り付け部材１３，２３，３３は同一形状の部材であり、第１ケーブル固定部材１４，１５、第２ケーブル固定部材２４，２５および第３ケーブル固定部材３４，３５についても同一形状である。これらの部材の材料については一定強度を持つものであれば良く、特に限定されない。
【００４６】
縦方支持部材１は、略長方管形状を持ち、水中ポンプ装置５０の直立方向に略並行して設置される。略長方管形状とすること以外に、円管形状や多角管形状とすることも考えられるが、縦方支持部材１のモータケーシング５２の側周面への固定のし易さや強度の観点からは、略長方管形状とするのが望ましい。なお、図３（ｂ）に示すように、縦方支持部材１は完全な長方管形状ではなく、水中ポンプ本体の側周面に接する側の面に開口部を持つ略長方管形状となっている。
【００４７】
また縦方第１摺動部材２は、当該部材の外周面が縦方支持部材１の内周面と部分的に接して、該縦方支持部材１の長手方向に摺動可能に構成されている。また、縦方第１摺動部材２は、縦方支持部材１の長手方向の上方側端部から所定距離だけ突出した位置に、縦方第１摺動固定部材３により固定される。なお、縦方第１摺動部材２の長手方向の上方側端部背面に、第３フロートスイッチ３１のケーブル３０を固定する第３側方支持部材３２が固定されるので、縦方第１摺動部材２の固定位置は、設定すべき警戒液位（Ｌａ）に応じて位置決めされることになる。
【００４８】
また、図３（ａ）および（ｂ）に示すように、縦方第１摺動固定部材３は、縦方支持部材１の長手方向の上方側端部において、背面および両側面に配された３個の締め付けねじにより具現される。これら３個のねじを緩めることにより縦方第１摺動部材２の摺動が可能となり、また、これら３個のねじを締め付けることにより縦方第１摺動部材２を縦方支持部材１に固定する構成である。
【００４９】
また、第１側方支持部材１２は、縦方支持部材１の背面の長手方向の下方側に当該部材の一端または該一端近傍が固定されている。具体的に、固定は、第１側方支持部材１２の一端または該一端近傍を覆う取り付け部材１３の両端部を、ねじ１３ａで縦方支持部材１に固定することにより行われる。
【００５０】
また、第１側方支持部材１２の他端が水平方向に延びる構造であり、該他端または該他端近傍の位置に第１フロートスイッチ１１のケーブル１０が第１フロートスイッチ１１から所定距離を保って固定されている。ここで、所定距離は、固定点を中心として第１フロートスイッチ１１が液位に応じて上方または下方に支障なく傾動することが可能となる距離である。具体的に、図３（ｃ）に示すように、ケーブル１０の径と同じ深さの凹部を断面形状に持つ第１ケーブル固定部材１４を使用して、第１ケーブル固定部材１４の凹部にケーブル１０をはめ込んだ後、第１ケーブル固定部材１４の両端部をねじ１４ａで第１側方支持部材１２に固定することにより行われる。
【００５１】
また、第１側方支持部材１２の一端または該一端近傍の位置においても、同様に、第１ケーブル固定部材１５（第１ケーブル掛止固定部材）により、第１フロートスイッチ１１のケーブル１０が固定される。
【００５２】
また、第２側方支持部材２２は、縦方支持部材１の背面の長手方向の上方側に当該部材の一端または該一端近傍が固定されている。具体的に、固定は、第２側方支持部材２２の一端または該一端近傍を覆う取り付け部材２３の両端部を、ねじ２３ａで縦方支持部材１に固定することにより行われる。
【００５３】
また、第２側方支持部材２２の他端が水平方向に延びる構造であり、該他端または該他端近傍の位置に第２フロートスイッチ２１のケーブル２０が第２フロートスイッチ２１から所定距離を保って固定されている。ここで、所定距離は、固定点を中心として第２フロートスイッチ２１が液位に応じて上方または下方に支障なく傾動することが可能となる距離である。また、第２側方支持部材２２の一端または該一端近傍の位置においても、同様に、第２ケーブル固定部材２５（第２ケーブル掛止固定部材）により、第２フロートスイッチ２１のケーブル２０が固定される。第２ケーブル固定部材２４，２５によるケーブル２０の固定は、第１ケーブル固定部材１４による固定（図３（ｃ）参照）と同等である。
【００５４】
さらに、第３側方支持部材３２は、縦方第１摺動部材２の長手方向の上方側端部背面に当該部材の一端または該一端近傍が固定されている。具体的に、固定は、第３側方支持部材３２の一端または該一端近傍を覆う取り付け部材３３の両端部を、ねじ３３ａで縦方第１摺動部材２に固定することにより行われる。
【００５５】
また、第３側方支持部材３２の他端が水平方向に延びる構造であり、該他端または該他端近傍の位置に第３フロートスイッチ３１のケーブル３０が第３フロートスイッチ３１から所定距離を保って固定されている。ここで、所定距離は、固定点を中心として第３フロートスイッチ３１が液位に応じて上方または下方に支障なく傾動することが可能となる距離である。また、第３側方支持部材３２の一端または該一端近傍の位置においても、同様に、第３ケーブル固定部材３５（第３ケーブル掛止固定部材）により、第３フロートスイッチ３１のケーブル３０が固定される。第３ケーブル固定部材３４，３５によるケーブル３０の固定は、第１ケーブル固定部材１４による固定（図３（ｃ）参照）と同等である。
【００５６】
以上のように、この実施の形態１では、同じ水平方向に延びる側方支持部材１２，２２，３２の一端（または一端近傍）と他端（または他端近傍）のそれぞれの位置に配置されるケーブル固定部材１４，１５、２４，２５および３４，３５でケーブル１０，２０，３０が固定される構造であるため、側方支持部材１２，２２，３２の延びる方向とは逆の方向の側にケーブル１０，２０，３０の余長部分が集められる形となる。しかも、ケーブル１０，２０，３０の余長部分が集められる場所は、各フロートスイッチ１１，２１，３１の傾動空間からそれぞれ一定距離（少なくとも側方支持部材１２，２２，３２の長さ分）だけ離れて位置するため、フロートスイッチ１１，２１，３１にケーブル１０，２０，３０の余長部分が絡み付く可能性は殆ど無く、ケーブル余長部分の絡み付きによる液位の誤検知が無くなり、確実な水中ポンプの自動運転制御が行うことができるようになる。
【００５７】
さらに、以上のような構造を持つフロートスイッチ支持部材１０１の水中ポンプ本体への固定は、固定部材５により行われる。実施の形態１では、固定部材５を、相対的に低い弾性を持つバンド部材として、該バンド部材と縦方支持部材１との３方の接触面（６）を複数個のねじ６ａで固定して、固定部材５と縦方支持部材１とを一体化した構造としている。また、図２の矢印に示すように、一体化した固定部材５をモータケーシング５２（水中ポンプ本体）の側周面上で回転移動させることにより、縦方支持部材１をモータケーシング５２の側周面の任意の位置に固定することが可能となる。
【００５８】
なお、通常のベルト構造のようにバンド部材（５）に締結具を備える構造として、縦方支持部材１の位置決めの後に締結具による締め付けを行い、固定強度をより強化するようにしても良い。
【００５９】
このように、この実施の形態１では、一体化した固定部材５を水中ポンプ本体の側周面上で回転移動させることができるため、水中ポンプ本体とフロートスイッチ１１，２１，３１との（上方から見た）相対的位置関係を任意に設定することができ、水中ポンプ本体とフロートスイッチ１１，２１，３１との相対的位置関係が固定されていたために、従来、設置できなかった液槽内の位置や方向に対しても、水中ポンプ装置５０を設置することができるようになり、様々な状況に対してより柔軟に対処可能なフロートスイッチ支持部材１０１および水中ポンプ装置５０を実現することができる。例えば、従来、フロートスイッチの傾動空間を確保するために設置できなかった液槽壁に近接した位置や、障害物等により設置スペースが確保できなかった位置であっても、水中ポンプ本体とフロートスイッチの相対的位置関係を所望の設置空間に応じて柔軟に設定することで対処し得る。
【００６０】
また、この実施の形態１では、水中ポンプ本体の側周面に巻き付けられる弾性を持つバンド部材７を備えて、第１フロートスイッチ１１のケーブル１０の余長部分、第２フロートスイッチ２１のケーブル２０の余長部分および第３フロートスイッチ３１のケーブル３０の余長部分を、バンド部材７で固定している。上述したように、側方支持部材１２，２２，３２の延びる方向とは逆の方向の側（即ち、図１において縦方支持部材１の左側）にケーブル１０，２０，３０の余長部分が集められており、適切な高さで弾性を持つバンド部材７を水中ポンプ本体の側周面に巻き付けることで、その場所にケーブル１０，２０，３０の余長部分を固定することができ、例えばケーブル１０，２０，３０の余長部分が長い場合であっても、フロートスイッチ１１，２１，３１にケーブル１０，２０，３０の余長部分が絡み付く可能性を完全に排除して、確実な水中ポンプの自動運転制御を可能とすることができる。なお、バンド部材（固定部材）５とは異なる高さにバンド部材７を設置する場合には、フロートスイッチ支持部材１０１の固定を補強する副次的効果も期待できる。
【００６１】
また、上述したように、この実施の形態１では、第１側方支持部材１２、第２側方支持部材２２および第３側方支持部材３２は、互いに長さが異なり、「第１側方支持部材１２の長さ＜第２側方支持部材２２の長さ＜第３側方支持部材３２の長さ」となっている。また、この実施の形態１では、各側方支持部材のケーブル固定部材は、側方支持部材の一端（または一端近傍）と他端（または他端近傍）のそれぞれの位置に配置されているから、「各側方支持部材の長さが互いに異なる」ようにした場合には、「第２側方支持部材２２の第２ケーブル固定部材２４，２５間の距離は、第１側方支持部材１２の第１ケーブル固定部材１４，１５間の距離、または、第３側方支持部材３２の第３ケーブル固定部材３４，３５間の距離とは異なる」ことになる。
【００６２】
これらが意味するところは、図２に示すように、フロートスイッチ支持部材１０１の水中ポンプ装置５０を上方から見たときの他端側のケーブル固定部材１４，２４，３４の位置、即ち各フロートスイッチ１１，２１，３１の傾動中心が重複することなく互いに異なる位置となっていることである。
【００６３】
したがって、この実施の形態１では、従来のフロートスイッチの設置高さの違いによる垂直方向面上でのフロートスイッチの傾動中心のずれに、水平方向面上でのフロートスイッチの傾動中心のずれが加わって、各フロートスイッチの傾動空間が立体的にずれることとなり、側方から見たときの複数のフロートスイッチ間の距離が短い場合でも、互いに他方のフロートスイッチを傾動させる障害物となる（液位の誤検知の原因となる）可能性が低くなる。換言すれば、従来では液位の誤検知の原因となるために設定できなかった液位設定も可能となるため、様々な状況に対してより柔軟に対処可能なフロートスイッチ支持部材１０１および水中ポンプ装置５０を実現することができる。
【００６４】
（変形例１）
以上説明した実施の形態１では、水中ポンプ装置５０に第１フロートスイッチ１１、第２フロートスイッチ２１および第３フロートスイッチ３１の３個のフロートスイッチを備える構成であったが、警戒液位の検知が不要な場合や、並列相互自動運転における２台目の水中ポンプ装置の構成の場合などでは、２個のフロートスイッチを備えた態様となる。
【００６５】
実施の形態１（図１）において、２個のフロートスイッチを備えた態様に変形する構成としては、先ず、上記例示の通りに第３フロートスイッチ３１およびケーブル３０を削除し、これに伴って、縦方第１摺動部材２および第３側方支持部材３２、並びにこれらに関連する各種部材を削除した構成が考えられる。このような変形構成によっても、上記実施の形態１と同等の効果を奏することができる。
【００６６】
（変形例２）
また、別の変形として、第３フロートスイッチ３１およびケーブル３０を削除して、代わりに第２フロートスイッチ２１およびケーブル２０を第３側方支持部材３２に配置して、第２側方支持部材２２、並びにこれに関連する各種部材を削除した構成が考えられる。並列相互自動運転における２台目の水中ポンプ装置の構成では、起動液位（Ｌｓ）を１台目の警戒液位（Ｌａ）未満で且つ１台目の起動液位（Ｌｓ）を超える液位に設定する必要があり、このような変形が最適な形態である。このような変形構成によっても、上記実施の形態１と同等の効果を奏することができる。
【００６７】
（変形例３）
また、上記実施の形態１では、第１側方支持部材１２、第２側方支持部材２２および第３側方支持部材３２の延びる方向を、同一の水平方向としたが、側方支持部材の延びる方向は任意であって良く、この変形例１の３では、図４（ａ）に示すように、第２側方支持部材２２Ａの他端が延びる方向を、第１側方支持部材１２Ａまたは第３側方支持部材３２Ａの他端が延びる方向とは逆にしている。また、この変形に伴って、第３側方支持部材３２Ａの長さをより短くした。
【００６８】
このような変形構成により、上記実施の形態１と同等の効果に加えて、各フロートスイッチの傾動空間についての立体的なずれをより大きくすることができ、様々な状況に対してより一層柔軟に対処可能なフロートスイッチ支持部材および水中ポンプ装置を実現することができる。また、第３側方支持部材３２Ａの長さがより短くなり、側方支持部材の延びる方向が両方向となって、上方から見たときの各フロートスイッチの位置がより水中ポンプ本体に近くなることから、水中ポンプ装置の設置に要する面積を狭めることができ、様々な状況に対してより柔軟に対処可能な水中ポンプ装置５０を実現することができる。
【００６９】
なお、第２側方支持部材２２Ａが延びる方向を逆にしたことから、第２フロートスイッチ２１のケーブル２０の余長部分が第１フロートスイッチ１１または第３フロートスイッチ３１に絡み付く可能性が発生し、また、第１フロートスイッチ１１のケーブル１０または第３フロートスイッチ３１のケーブル３０が第２フロートスイッチ２１に絡み付く可能性も出てくるが、弾性を持つバンド部材７によりこれらケーブルの余長部分を固定することにより、ケーブルの余長部分がフロートスイッチ絡み付く可能性を完全に排除できるので、問題はない。
【００７０】
（変形例４）
また、側方支持部材の延びる方向に、縦方支持部材１の背面に対する角度を付けるようにしても良い。この変形例１の４では、図４（ｂ）に示すように、第１側方支持部材１２Ｂの他端が延びる方向、第２側方支持部材２２の他端が延びる方向または第３側方支持部材３２Ｂの他端が延びる方向と、縦方支持部材１の背面とのなす角度が、互いに異なるようにしている。
【００７１】
第１側方支持部材１２Ｂについては、縦方支持部材１の背面の第１側方支持部材１２Ｂを固定する領域についてのみ（図１に対して）右肩部分を削り、該当部分についてのみ縦方支持部材１を略三角管形状として、第１側方支持部材１２Ｂの延びる方向に−θ１の角度を付けている。また、第３側方支持部材３２Ｂについては、縦方支持部材１の背面の第３側方支持部材３２Ｂを固定する領域についてのみ、（図１に対して）右肩部分の外周面からの高さがより高くなるように楔形状の補助部材を差し込んで、第３側方支持部材３２Ｂの延びる方向に＋θ２の角度を付けている。
【００７２】
このように、側方支持部材の延びる方向に角度を付けることにより、各フロートスイッチの傾動空間についてより大きな立体的なずれを得ることができ、様々な状況に対してより一層柔軟に対処可能なフロートスイッチ支持部材および水中ポンプ装置を実現することができる。また換言すれば、より短い側方支持部材の長さで同一距離の立体的なずれを得ることができ、水中ポンプ装置の設置に要する面積を狭めることができ、様々な状況に対してより柔軟に対処可能な水中ポンプ装置５０を実現することができる。
【００７３】
（変形例５）
また、上記実施の形態１では、弾性を持つバンド部材７でフロートスイッチのケーブル余長部分を固定したが、この変形例１の５では、第１フロートスイッチ１１のケーブル１０の余長部分、第２フロートスイッチ２１のケーブル２０の余長部分および第３フロートスイッチ３１のケーブル３０の余長部分の一部分を、縦方支持部材１の背面と対向する側の面の開口部を介して略長方管形状の中空空間に差し込み、固定するようにした。
【００７４】
この場合、縦方支持部材１の幅および水中ポンプ本体の外周面からの高さ共により大きくして、略長方管形状の中空空間をより大きな空間とする必要がある。ケーブルの折れ曲げによってケーブルに与えるダメージをより軽減するためである。
【００７５】
このような構成によっても、フロートスイッチにケーブル余長部分が絡み付く可能性を完全に排除して、確実な水中ポンプの自動運転制御を可能とすることができる。
【００７６】
〔実施の形態２〕
次に、図５は、この発明の実施の形態２に係るフロートスイッチ支持部材１０２の側面からの外観構成を示す説明図である。
【００７７】
図５に示すように、フロートスイッチ支持部材１０２は、縦方支持部材１Ｃ、縦方第１摺動部材２Ｃ、縦方第１摺動固定部材３Ｃ、縦方第２摺動部材８、縦方第１摺動固定部材４Ｃ、固定部材５、第１側方支持部材１２Ｃ、第１ケーブル固定部材１４Ｃ、側方第１摺動部材１６、側方第１摺動固定部材１６ａ、第２側方支持部材２２Ｃ、第２ケーブル固定部材２４Ｃ、側方第２摺動部材２６、側方第２摺動固定部材２６ａ、第３側方支持部材３２Ｃ、第３ケーブル固定部材３４Ｃ、側方第３摺動部材３６および側方第３摺動固定部材３６ａを備えた構成である。
【００７８】
なお、縦方支持部材１Ｃ、縦方第１摺動部材２Ｃ、縦方第２摺動部材８、第１側方支持部材１２Ｃ、側方第１摺動部材１６、第２側方支持部材２２Ｃ、側方第２摺動部材２６、第３側方支持部材３２Ｃおよび側方第３摺動部材３６は、フロートスイッチ支持部材１０２の骨格をなすものであるから、十分な強度を備えた軽量の材料で形成されるのが望ましい。
【００７９】
また、縦方支持部材１Ｃは略長方管形状を持ち、水中ポンプ装置の直立方向に略並行して設置される。なお、図６（ａ）に示すように、縦方支持部材１Ｃは完全な長方管形状ではなく、水中ポンプ本体の側周面に接する側の面に開口部を持つ略長方管形状となっている。
【００８０】
また、縦方第１摺動部材２Ｃは略長方管形状を持ち、当該部材の外周面が縦方支持部材１Ｃの内周面と部分的に接して、該縦方支持部材１Ｃの長手方向に摺動可能に構成されている。また、縦方第１摺動部材２Ｃは、縦方支持部材１Ｃの長手方向の上方側端部から所定距離だけ突出した位置に、縦方第１摺動固定部材３Ｃにより固定される。なお、縦方第１摺動部材２Ｃの長手方向の上方側端部背面に、第２フロートスイッチ２１のケーブル２０を固定する第２側方支持部材２２Ｃが固定されるので、縦方第１摺動部材２Ｃの固定位置は、設定すべき起動液位（Ｌｓ）に応じて位置決めされることになる。
【００８１】
また、図６（ａ）に示すように、縦方第１摺動部材２Ｃは、縦方支持部材１Ｃの長手方向の上方側端部において、背面および両側面に配された４個の締め付けねじにより具現される。これら４個のねじを緩めることにより縦方第１摺動部材２Ｃの摺動が可能となり、また、これら４個のねじを締め付けることにより縦方第１摺動部材２Ｃを縦方支持部材１Ｃに固定する構成である。
【００８２】
また、縦方第２摺動部材８は、当該部材の外周面が縦方第１摺動部材２Ｃの内周面と部分的に接して、該縦方第１摺動部材２Ｃの長手方向に摺動可能に構成されている。また、縦方第２摺動部材８は、縦方第１摺動部材２Ｃの長手方向の上方側端部から所定距離だけ突出した位置に、縦方第２摺動固定部材４Ｃにより固定される。なお、縦方第２摺動部材８の長手方向の上方側端部背面に、第３フロートスイッチ３１のケーブル３０を固定する第３側方支持部材３２Ｃが固定されるので、縦方第２摺動部材８の固定位置は、設定すべき警戒液位（Ｌａ）に応じて位置決めされることになる。
【００８３】
また、図６（ｂ）に示すように、縦方第２摺動固定部材４Ｃは、縦方第１摺動部材２Ｃの長手方向の上方側端部において、背面および両側面に配された４個の締め付けねじにより具現される。これら４個のねじを緩めることにより縦方第２摺動部材８の摺動が可能となり、また、これら４個のねじを締め付けることにより縦方第２摺動部材８を縦方第１摺動部材２Ｃに固定する構成である。
【００８４】
次に、第１側方支持部材１２Ｃは、略長方管形状を持ち、他端が水平方向に延びる構造であり、縦方支持部材１Ｃの背面の長手方向の下方側に当該部材の一端近傍が固定されている。なお、第１側方支持部材１２Ｃは完全な長方管形状ではなく、上面側に開口部を持つ構造で第１ケーブル掛止部１２Ｃａ，１２Ｃｂ（第１ケーブル掛止固定部材）を形成すると共に、縦方支持部材１Ｃに固定される一端近傍の両側面がそれぞれ両外方向に切り開かれて取り付け部を形成している。なお、縦方支持部材１Ｃへの固定は、上記取り付け部の両端をねじ１３ｂで固定することにより行われる。
【００８５】
また、側方第１摺動部材１６は、当該部材の外周面が第１側方支持部材１２Ｃの内周面と部分的に接して、該第１側方支持部材１２Ｃの長手方向に摺動可能に構成されている。また、側方第１摺動部材１６は、第１側方支持部材１２Ｃの長手方向の他端部から所定距離だけ突出した位置に、側方第１摺動固定部材１６ａにより固定される。
【００８６】
なお、図６（ｃ）に示すように、側方第１摺動固定部材１６ａは、第１側方支持部材１２Ｃの長手方向の他端部において、両側面に配された２個の締め付けねじにより具現される。これら２個のねじを緩めることにより側方第１摺動部材１６の摺動が可能となり、また、これら２個のねじを締め付けることにより側方第１摺動部材１６を第１側方支持部材１２Ｃに固定する構成である。
【００８７】
また、側方第１摺動部材１６の他端または該他端近傍の位置に第１フロートスイッチ１１のケーブル１０が第１フロートスイッチ１１から所定距離を保って固定されている。ここで、所定距離は、固定点を中心として第１フロートスイッチ１１が液位に応じて上方または下方に支障なく傾動することが可能となる距離である。第１ケーブル固定部材１４Ｃによるケーブル１０の固定は、実施の形態１の第１ケーブル固定部材１４による固定（図３（ｃ）参照）と同等である。
【００８８】
また、第１側方支持部材１２の第１ケーブル掛止部１２Ｃａ，１２Ｃｂにおいては、開口部の開口幅が他端から一端に向かう方向に沿って小さくなって行く構造を持ち、図６（ｃ）に示すように、第１ケーブル掛止部１２Ｃａ，１２Ｃｂの内側空間に第１フロートスイッチ１１のケーブル１０が掛止される。
【００８９】
また、第２側方支持部材２２Ｃは、略長方管形状を持ち、他端が水平方向に延びる構造であり、縦方第１摺動部材２Ｃの長手方向の上方側端部背面に当該部材の一端近傍が固定されている。なお、第２側方支持部材２２Ｃは完全な長方管形状ではなく、上面側に開口部を持つ構造で第２ケーブル掛止部２２Ｃａ，２２Ｃｂ（第２ケーブル掛止固定部材）を形成すると共に、縦方第１摺動部材２Ｃに固定される一端近傍の両側面がそれぞれ両外方向に切り開かれて取り付け部を形成している。なお、縦方第１摺動部材２Ｃへの固定は、上記取り付け部の両端をねじ２３ｂで固定することにより行われる。
【００９０】
また、側方第２摺動部材２６は、当該部材の外周面が第２側方支持部材２２Ｃの内周面と部分的に接して、該第２側方支持部材２２Ｃの長手方向に摺動可能に構成されている。また、側方第２摺動部材２６は、第２側方支持部材２２Ｃの長手方向の他端部から所定距離だけ突出した位置に、側方第２摺動固定部材２６ａにより固定される。なお、側方第２摺動固定部材２６ａによる側方第２摺動部材２６の固定は、側方第１摺動固定部材１６ａによる側方第１摺動部材１６の固定（図６（ｃ）参照）と同等である。
【００９１】
また、側方第２摺動部材２６の他端または該他端近傍の位置に第２フロートスイッチ２１のケーブル２０が第２フロートスイッチ２１から所定距離を保って固定されている。ここで、所定距離は、固定点を中心として第２フロートスイッチ２１が液位に応じて上方または下方に支障なく傾動することが可能となる距離である。第２ケーブル固定部材２４Ｃによるケーブル２０の固定は、実施の形態１の第１ケーブル固定部材１４による固定（図３（ｃ）参照）と同等である。
【００９２】
また、第２側方支持部材２２の第２ケーブル掛止部２２Ｃａ，２２Ｃｂにおいては、開口部の開口幅が他端から一端に向かう方向に沿って小さくなって行く構造を持ち、第２ケーブル掛止部２２Ｃａ，２２Ｃｂの内側空間に第２フロートスイッチ２１のケーブル２０が掛止される。
【００９３】
さらに、第３側方支持部材３２Ｃは、略長方管形状を持ち、他端が水平方向に延びる構造であり、縦方第２摺動部材８の長手方向の上方側端部背面に当該部材の一端近傍が固定されている。なお、第３側方支持部材３２Ｃは完全な長方管形状ではなく、上面側に開口部を持つ構造で第３ケーブル掛止部３２Ｃａ，３２Ｃｂ（第３ケーブル掛止固定部材）を形成すると共に、縦方第２摺動部材８に固定される一端近傍の両側面がそれぞれ両外方向に切り開かれて取り付け部を形成している。なお、縦方第２摺動部材８への固定は、上記取り付け部の両端をねじ３３ｂで固定することにより行われる。
【００９４】
また、側方第２摺動部材３６は、当該部材の外周面が第３側方支持部材３２Ｃの内周面と部分的に接して、該第３側方支持部材３２Ｃの長手方向に摺動可能に構成されている。また、側方第３摺動部材３６は、第３側方支持部材３２Ｃの長手方向の他端部から所定距離だけ突出した位置に、側方第３摺動固定部材３６ａにより固定される。なお、側方第３摺動固定部材３６ａによる側方第３摺動部材３６の固定は、側方第１摺動固定部材１６ａによる側方第１摺動部材１６の固定（図６（ｃ）参照）と同等である。
【００９５】
また、側方第３摺動部材３６の他端または該他端近傍の位置に第３フロートスイッチ３１のケーブル３０が第３フロートスイッチ３１から所定距離を保って固定されている。ここで、所定距離は、固定点を中心として第３フロートスイッチ３１が液位に応じて上方または下方に支障なく傾動することが可能となる距離である。第３ケーブル固定部材３４Ｃによるケーブル３０の固定は、実施の形態１の第１ケーブル固定部材１４による固定（図３（ｃ）参照）と同等である。
【００９６】
また、第３側方支持部材３２の第３ケーブル掛止部３２Ｃａ，３２Ｃｂにおいては、開口部の開口幅が他端から一端に向かう方向に沿って小さくなって行く構造を持ち、第３ケーブル掛止部３２Ｃａ，３２Ｃｂの内側空間に第３フロートスイッチ３１のケーブル３０が掛止される。
【００９７】
以上のように、この実施の形態２では、同じ水平方向に延びる側方摺動部材１６，２６，３６の他端（または他端近傍）のそれぞれの位置に配置されるケーブル固定部材１４Ｃ，２４Ｃ，３４Ｃでケーブル１０，２０，３０が固定され、側方支持部材１２Ｃ，２２Ｃ，３２Ｃの一端近傍のそれぞれの位置に配置されるケーブル掛止部１２Ｃａ，１２Ｃｂ、２２Ｃａ，２２Ｃｂおよび３２Ｃａ，３２Ｃｂでケーブル１０，２０，３０が掛止される構造であるため、側方支持部材１２Ｃ，２２Ｃ，３２Ｃの延びる方向とは逆の方向の側にケーブル１０，２０，３０の余長部分が集められる形となる。しかも、ケーブル１０，２０，３０の余長部分が集められる場所は、各フロートスイッチ１１，２１，３１の傾動空間からそれぞれ一定距離（少なくとも側方支持部材１２，２２，３２の一端から側方摺動部材１６，２６，３６の他端までの長さ分）だけ離れて位置するため、フロートスイッチ１１，２１，３１にケーブル１０，２０，３０の余長部分が絡み付く可能性は殆ど無く、ケーブル余長部分の絡み付きによる液位の誤検知が無くなり、確実な水中ポンプの自動運転制御が行うことができる。
【００９８】
さらに、以上のような構造を持つフロートスイッチ支持部材１０２の水中ポンプ本体への固定は、固定部材５により行われる。この実施の形態２では、固定部材５を、相対的に低い弾性を持つバンド部材として、該バンド部材と縦方支持部材１Ｃとの３方の接触面を複数個のねじ６ａで固定して、固定部材５と縦方支持部材１Ｃとを一体化した構造としている。また、実施の形態１と同様に（図２の矢印参照）、一体化した固定部材５を水中ポンプ本体の側周面上で回転移動させることにより、縦方支持部材１Ｃを水中ポンプ本体の側周面の任意の位置に固定することが可能となる。
【００９９】
このように、この実施の形態２では、一体化した固定部材５を水中ポンプ本体の側周面上で回転移動させることができるため、水中ポンプ本体とフロートスイッチ１１，２１，３１との（上方から見た）相対的位置関係を任意に設定することができ、様々な状況に対してより柔軟に対処可能なフロートスイッチ支持部材１０２および水中ポンプ装置を実現することができる。
【０１００】
また、この実施の形態２では、従来のフロートスイッチの設置高さの違いによる垂直方向面上でのフロートスイッチの傾動中心のずれに、水平方向面上でのフロートスイッチの傾動中心のずれが加わって、各フロートスイッチの傾動空間が立体的にずれることとなり、側方から見たときの複数のフロートスイッチ間の距離が短い場合でも、互いに他方のフロートスイッチを傾動させる障害物となる（液位の誤検知の原因となる）可能性が低くなる。換言すれば、従来では液位の誤検知の原因となるために設定できなかった液位設定も可能となるため、様々な状況に対してより柔軟に対処可能なフロートスイッチ支持部材１０２および水中ポンプ装置を実現することができる。
【０１０１】
以上、この発明の実施の形態について説明したが、具体的な構成は、上記の実施の形態に限られるものではなく、この発明の要旨を逸脱しない範囲の設計の変更等があっても、この発明に含まれる。例えば、上記実施の形態１および実施の形態２では、縦方第１摺動部材２の縦方支持部材１への固定、縦方第１摺動部材２Ｃの縦方支持部材１Ｃへの固定、並びに、縦方第２摺動部材８の縦方第１摺動部材２Ｃへの固定を、ねじによる一方の面からの締め付けにより行ったが、ボルトおよびナットを用いた双方の面からの締め付けによって行うようにしても良い。これにより、固定強度をより高めることができる。
【０１０２】
また、ケーブル１０，２０および３０の余長部分を束線バンドで束ねて、該束線バンドを紐状部材で例えば水中ポンプの取手部５３などに係止するようにしても良い。
【符号の説明】
【０１０３】
１，１Ｃ                      縦方支持部材
２，２Ｃ                      縦方第１摺動部材
３，３Ｃ                      縦方第１摺動固定部材
４Ｃ                          縦方第２摺動固定部材
５                            固定部材（バンド部材）
７                            バンド部材
８                            縦方第２摺動部材
１０，２０，３０              ケーブル
１１，２１，３１              フロートスイッチ
１２，１２Ｂ，１２Ｃ          第１側方支持部材  
１２Ｃａ，１２Ｃｂ            第１ケーブル掛止部（第１ケーブル掛止固定部材）
１３，２３，３３              取り付け部材
６ａ，１３ａ，２３ａ，３３ｂ  ねじ
１４，１４Ｃ，１５            第１ケーブル固定部材
１６                          側方第１摺動部材
１６ａ                        側方第１摺動固定部材
２２，２２Ｃ                  第２側方支持部材
２２Ｃａ，２２Ｃｂ            第２ケーブル掛止部（第２ケーブル掛止固定部材）
２４，２５                    第２ケーブル固定部材
２６                          側方第２摺動部材
２６ａ                        側方第２摺動固定部材
３２，３２Ａ，３２Ｂ，３２Ｃ  第３側方支持部材
３２Ｃａ，３２Ｃｂ            第３ケーブル掛止部（第３ケーブル掛止固定部材）
３４，３４Ｃ，３５            第３ケーブル固定部材
３６                          側方第３摺動部材
３６ａ                        側方第３摺動固定部材
４０                          電源ケーブル
５０                          水中ポンプ装置
５１                          モータ部
５２                          モータケーシング
５３                          カバー取手部
５５，５６                    開口部
５７                          運転制御部
６１                          ポンプ部
６２                          ポンプケーシング
１０１，１０２                フロートスイッチ支持部材
Ｌａ                          警戒液位
Ｌｓ                          起動液位
Ｌｅ                          停止液位
【図１】
0006724413.tif 000002
【図２】
0006724413.tif 000003
【図３】
0006724413.tif 000004
【図４】
0006724413.tif 000005
【図５】
0006724413.tif 000006
【図６】
0006724413.tif 000007